(57)【要約】【課題】信号の遅延が抑制された表示装置を提供する。また、低消費電力駆動が可能な表示装置を提供する。【解決手段】複数の画素に共通電位を与える共通配線と、画素を駆動する信号を入力するための信号線との間の寄生容量を無くせばよい。具体的には、外部から信号が入力される外部入力端子よりも外側に共通配線を引き回し、信号線と共通配線との交差部を無くすことにより、共通配線と信号線との間の寄生容量がなくなり、表示装置の高速駆動と低消費電力駆動が実現できる。【選択図】図１
2013029830.tif 000002
【特許請求の範囲】
【請求項１】
複数の画素を有する表示部と、
外部から信号が入力される外部入力端子と、
前記外部入力端子と前記表示部とを電気的に接続する信号線と、
前記表示部に共通電位を与える共通配線と、が基板上に設けられ、
前記外部入力端子は前記共通配線と前記表示部の間に設けられ、
且つ、前記共通配線は前記信号線と重ならないように設けられた、表示装置。
【請求項２】
請求項１に記載の表示装置において、
前記共通配線は、前記表示部及び前記外部入力端子を囲って閉曲線をなすように設けられた、表示装置。
【請求項３】
請求項１又は請求項２に記載の表示装置において、
前記画素は、少なくとも一のトランジスタと、当該トランジスタに電気的に接続される画素電極と、を有し、
前記共通配線は、前記トランジスタのソース電極又はドレイン電極、ゲート電極又は前記画素電極のいずれかと同一の導電膜を用いて形成されている、表示装置。
【請求項４】
請求項１乃至請求項３のいずれか一に記載の表示装置において、
前記共通配線は、前記信号線と同一の導電膜を用いて形成されている、表示装置。
【請求項５】
請求項１乃至請求項４のいずれか一に記載の表示装置において、
前記画素は、画素電極と、少なくとも発光性の有機化合物を含む層と、共通電極とが積層された発光素子を有する、表示装置。
【請求項６】
請求項１乃至請求項４のいずれか一に記載の表示装置において、
前記画素は、画素電極と、共通電極との間に液晶が挟持された液晶素子を有する、表示装置。
【発明の詳細な説明】
【技術分野】
【０００１】
本発明は、一対の電極を備える表示素子を有する表示装置に関する。
【背景技術】
【０００２】
一対の電極を備え、その電極間に電圧を印加することにより画像表示を行う表示装置が知られている。
【０００３】
液晶表示装置は、画素内の一対の電極間に液晶を挟み、液晶による光の偏光を利用して背面に設けられたバックライトからの光の透過光量を制御することにより、画像を表示するものである。液晶表示装置としては、単純マトリクス方式や、薄膜トランジスタ（ＴＦＴともいう）を組み合わせたアクティブマトリクス方式などがある。
【０００４】
また、有機ＥＬ（エレクトロルミネセンス）素子の研究開発が盛んに行われている。有機ＥＬ素子の基本的な構成は、一対の電極間に発光性の有機化合物を含む層を挟んだものである。この素子に電圧を印加することにより、発光性の有機化合物から発光を得ることができる。
【０００５】
有機ＥＬ素子が適用された表示装置としては、液晶表示装置と同様に単純マトリクス方式やアクティブマトリクス方式などが用いられる。有機ＥＬ素子は膜状に形成可能な自発光の素子であり、液晶表示装置で必要であったバックライトを必要としないため、薄型、軽量、高コントラストな表示装置を実現できる。例えば、有機ＥＬ素子を用いた表示装置の一例が、特許文献１に開示されている。
【先行技術文献】
【特許文献】
【０００６】
【特許文献１】特開２００２−３２４６７３号公報
【発明の概要】
【発明が解決しようとする課題】
【０００７】
近年、表示装置の大型化や高精細化が求められている。例えば、フルハイビジョン（ＦＨＤ）や、４Ｋ２Ｋ、８Ｋ４Ｋといった極めて高精細で画素数の多い表示装置の開発が進められている。一方、表示装置の大型化や高精細化が進むと、画素数の増大に伴い画素に信号を入力するための信号線が増加する。
【０００８】
また、表示装置の高速駆動も同時に求められている。例えば従来の駆動周波数に対して２倍速や４倍速といった高速表示を行うことにより、より滑らかな動画表示が実現できる。
【０００９】
しかし、このような信号線の増大と高速駆動化に伴い、配線間の寄生容量の影響が無視できなくなる。具体的には、配線間に寄生容量が形成されると、信号の形状のなまりや信号の遅延が生じ、高速駆動が妨げられてしまう。また、このような寄生容量への充放電の影響により、表示装置の消費電力が高くなってしまう。
【００１０】
本発明は、このような技術的背景のもとでなされたものである。したがって本発明は、信号の遅延が抑制された表示装置を提供することを課題の一とする。また、低消費電力駆動が可能な表示装置を提供することを課題の一とする。
【００１１】
本発明の一態様は、上記課題の少なくとも一を解決するものである。
【課題を解決するための手段】
【００１２】
上記課題を解決するために、本発明は一対の電極を備える表示素子（有機ＥＬ素子または液晶素子など）の共通電位が与えられる共通電極に電気的に接続される共通配線と、画素を駆動する信号を入力するための信号線との間の寄生容量に着眼した。外部から信号が入力される外部入力端子よりも外側に共通配線を引き回すことにより、信号線と共通配線との交差部を無くせばよい。
【００１３】
外部入力端子とは、例えばＦＰＣ（Ｆｌｅｘｉｂｌｅ  Ｐｒｉｎｔｅｄ  Ｃｉｒｃｕｉｔ）、プリント配線板、またはＩＣなどの回路素子が電気的に接続される端子であり、外部入力端子を構成する導電層の一部が露出して形成される。外部入力端子には、外部からＦＰＣなどを介して画像信号や電源電位、共通電位などが供給される。また、外部入力端子と画素間にはそれぞれ信号線が設けられている。なお、外部入力端子と画素との間に駆動回路（例えばソース線駆動回路、ゲート線駆動回路など）が設けられていてもよい。
【００１４】
共通配線は、表示素子の共通電極と電気的に接続される配線である。例えば共通電極を陽極として用いる場合には正の電位が、一方共通電極を陰極として用いる場合には、陽極に与えられる電位よりも低い電位、例えば基準電位、負の電位、接地電位、０Ｖなどが与えられる。
【００１５】
すなわち、本発明の一態様の表示装置は、複数の画素を有する表示部と、外部から信号が入力される外部入力端子と、当該外部入力端子と表示部とを電気的に接続する信号線と、表示部に共通電位を与える共通配線と、を有する。さらに外部入力端子は、共通配線と表示部の間に設けられ、且つ共通配線は、信号線と重ならないように設けられたことを特徴とする。
【００１６】
このように、共通電位が与えられる共通配線を、表示装置の外部入力端子よりも外側に、且つ信号線と交差しないように配置することにより、共通配線と信号線との間の寄生容量をなくし、当該寄生容量に起因した信号の遅延や形状のなまりが抑制され、高速駆動が実現された表示装置とすることができる。さらに、表示装置の寄生容量を抑制することが可能であるため、当該寄生容量への充放電に係る電力消費が抑制され、低消費電力駆動が可能な表示装置とすることができる。
【００１７】
また、本発明の他の一態様の表示装置は、上記表示装置において、共通配線は、表示部及び外部入力端子を囲って閉曲線をなすように設けられたことを特徴とする。
【００１８】
共通配線を表示部を囲って閉曲線をなすように設けることにより、表示装置へ外部から入力される電気的なノイズが抑制され、表示品位を向上させる効果を奏する。さらに、表示装置の作製工程中や、表示装置を使用する際に発生する静電気等による高電圧が表示部を構成するトランジスタや発光素子などの素子への静電破壊（ＥＳＤ；Ｅｌｅｃｔｒｏ  Ｓｔａｔｉｃ  Ｄｉｓｃｈａｒｇｅともいう。）を引き起こしてしまうことを抑制する効果も合わせて奏する。
【００１９】
また、本発明の他の一態様の表示装置は、上記のいずれかの表示装置において、画素は、少なくとも一のトランジスタと、当該トランジスタに電気的に接続される画素電極と、を有し、共通配線は、トランジスタのソース電極又はドレイン電極、ゲート電極又は画素電極のいずれかと同一の導電膜を用いて形成されていることを特徴とする。
【００２０】
また、本発明の他の一態様の表示装置は、上記のいずれかの表示装置において、共通配線は、信号線を構成する導電層と同一の導電膜を用いて形成されていることを特徴とする。
【００２１】
このように共通配線を、画素を構成する配線や電極などと同一の導電膜を用いて形成することにより、共通配線を形成する際に工程を増やすことなく、容易に共通配線を形成することができる。また、同様に、信号線と同一の導電膜を用いて形成することもできる。信号線や共通配線といった比較的引き回しの距離が長い配線においては、配線抵抗を低減するために比較的厚い導電膜を用いることが好ましく、これらを同一の導電膜を用いて形成することにより作製時間を短縮することができる。
【００２２】
また、本発明の他の一態様の表示装置は、上記のいずれかの表示装置において、画素は、画素電極と、少なくとも発光性の有機化合物を含む層と、共通電極とが積層された発光素子を有することを特徴とする。
【００２３】
また、本発明の他の一態様の表示装置は、上記のいずれかの表示装置において、画素は、画素電極と共通電極の間に液晶が挟持された液晶素子を有することを特徴とする。
【００２４】
このように、本発明の一態様の表示装置には、有機ＥＬ素子などの発光素子や液晶素子を適用することができ、高速駆動が実現され、且つ消費電力が低減した表示装置を実現できる。
【００２５】
なお、本明細書等において、表示素子には、一対の電極間に発光性の化合物を有し、電圧を印加することにより発光するＥＬ素子などの発光素子や、一対の電極間に液晶を有し、電圧を印加することにより液晶の配向が変化することにより、透過光の偏光を制御する液晶素子などの光学素子が含まれる。ＥＬ素子には、発光性の有機化合物を用いた有機ＥＬ素子や、発光性の無機化合物を用いた無機ＥＬ素子がある。
【００２６】
なお、本明細書等において、閉曲線とは、両端が一致している連続曲線のことを言う。また、ここでいう曲線には、広義に直線や線分の概念を含むものとする。したがって、例えば四辺形の外周のように、複数の線分で構成され、且つ各々の線分の両端がそれぞれ他の線分の一端と一致している場合も、閉曲線の一態様である。また、多角形、円や楕円、曲率の異なる複数の曲線部が連続して構成された形状や、直線部と曲線部とが混在して構成された形状なども閉曲線の一態様である。
【００２７】
なお、本明細書中において、コネクター、例えばＦＰＣもしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または表示素子が形成された基板にＣＯＧ（Ｃｈｉｐ  Ｏｎ  Ｇｌａｓｓ）方式によりＩＣ（集積回路）が直接実装されたモジュールも全て表示装置に含むものとする。
【発明の効果】
【００２８】
本発明によれば、信号の遅延が抑制された表示装置を提供できる。また、低消費電力駆動が可能な表示装置を提供できる。
【図面の簡単な説明】
【００２９】
【図１】本発明の一態様の表示装置を説明する図。
【図２】本発明の一態様の表示装置を説明する図。
【図３】本発明の一態様の表示装置を説明する図。
【図４】本発明の一態様の表示装置を説明する図。
【図５】本発明の一態様の表示装置を説明する図。
【図６】本発明の一態様のＥＬ層を説明する図。
【図７】本発明の一態様の液晶素子を説明する図。
【図８】本発明の一態様の電子機器を説明する図。
【発明を実施するための形態】
【００３０】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。したがって、本発明は以下に示す実施の形態の記載内容に限定して解釈されるものではない。なお、以下に説明する発明の構成において、同一部分または同様な機能を有する部分には同一の符号を異なる図面間で共通して用い、その繰り返しの説明は省略する。
【００３１】
なお、本明細書で説明する各図において、各構成の大きさ、層の厚さ、または領域は、明瞭化のために誇張されている場合がある。よって、必ずしもそのスケールに限定されない。
【００３２】
トランジスタは半導体素子の一種であり、電流や電圧の増幅や、導通または非導通を制御するスイッチング動作などを実現することができる。本明細書におけるトランジスタは、ＩＧＦＥＴ（Ｉｎｓｕｌａｔｅｄ  Ｇａｔｅ  Ｆｉｅｌｄ  Ｅｆｆｅｃｔ  Ｔｒａｎｓｉｓｔｏｒ）や薄膜トランジスタ（ＴＦＴ：Ｔｈｉｎ  Ｆｉｌｍ  Ｔｒａｎｓｉｓｔｏｒ）を含む。
【００３３】
また、「ソース」や「ドレイン」の機能は、異なる極性のトランジスタを採用する場合や、回路動作において電流の方向が変化する場合などには入れ替わることがある。このため、本明細書においては、「ソース」や「ドレイン」の用語は、入れ替えて用いることができるものとする。
【００３４】
また、本明細書等において、トランジスタのソース、またはドレインのどちらか一方のことを「第１電極」と呼び、ソース、またはドレインの他方を「第２電極」とも呼ぶことがある。なお、この際、ゲートについては「ゲート」または「ゲート電極」とも呼ぶ。
【００３５】
また、本明細書等において、「電気的に接続」には、「何らかの電気的作用を有するもの」を介して接続されている場合が含まれる。ここで、「何らかの電気的作用を有するもの」は、接続対象間での電気信号の授受を可能とするものであれば、特に制限を受けない。例えば、「何らかの電気的作用を有するもの」には、電極や配線をはじめ、トランジスタなどのスイッチング素子、抵抗素子、コイル、容量素子、その他の各種機能を有する素子などが含まれる。
【００３６】
（実施の形態１）
本実施の形態では、有機ＥＬ素子が適用された本発明の一態様のアクティブマトリクス型の表示装置の構成について、図１乃至図４を用いて説明する。
【００３７】
＜表示装置の上面構成例＞
図１は、本実施の形態で例示する表示装置１００の上面概略図である。なお、図１では明瞭化のため表示装置１００を構成する一部（第２の基板１２１、共通電極１１５等）は破線で輪郭のみを示している。
【００３８】
表示装置１００は、第１の基板１０１と第２の基板１２１とに挟持された表示部１０３、駆動回路部１０５を有する。第１の基板１０１上には、表示部１０３と駆動回路部１０５のほかに、信号線１０７、外部入力端子１０９、共通配線１１３などが形成されている。
【００３９】
第１の基板１０１と第２の基板１２１とは、第２の基板１２１の外周部においてシール材１１９によって接着されている。したがって第１の基板１０１、第２の基板１２１及びシール材１１９に囲まれる閉空間からなる封止領域が形成されている。当該封止領域内には信号線１０７及び共通配線１１３の一部と、表示部１０３及び駆動回路部１０５と、が形成されている。
【００４０】
表示部１０３は、マトリクス状に配置された複数の画素を備える。各々の画素は、駆動回路部１０５に電気的に接続され、当該駆動回路部１０５によってその駆動が制御される。
【００４１】
また、第１の基板１０１上の封止領域外には、外部入力端子１０９が形成されている。外部入力端子１０９にはＦＰＣ１１１が接着され、これらが電気的に接続されている。また外部入力端子１０９と駆動回路部１０５とは信号線１０７を介して電気的に接続され、当該信号線１０７を介して、ＦＰＣ１１１から入力される信号（ビデオ信号、クロック信号、スタート信号、またはリセット信号など）や電源電位、基準電位などが駆動回路部１０５に入力される。
【００４２】
また、第１の基板１０１上には、画素内の有機ＥＬ素子の共通電極１１５に共通電位を供給する共通配線１１３が形成されている。共通電極１１５は、表示部１０３、駆動回路部１０５及び共通配線１１３と重なる領域に形成され、共通配線１１３上に形成された開口部１１７を介して共通配線１１３と電気的に接続されている。
【００４３】
共通配線１１３は、信号線１０７と重ならないように、信号線１０７及び外部入力端子１０９よりも外側（第１の基板１０１の外周に近い側）に引き回されて形成されている。また、共通配線１１３は外部入力端子１０９に電気的に接続され、ＦＰＣ１１１から共通電位が供給される。
【００４４】
このように、共通配線１１３を信号線１０７と重ならないように信号線１０７と外部入力端子１０９を囲うようにして形成することにより、信号線１０７と共通配線１１３の間に寄生容量が形成されることがなく、駆動回路部１０５に入力される信号の遅延や形状のなまりを抑制することができ、高速駆動が実現できる。また寄生容量が形成されないため、寄生容量への充放電の影響が抑制され、表示装置１００を駆動するための消費電力の増加を抑制することができる。
【００４５】
また、共通配線１１３は、信号線１０７、駆動回路部１０５、及び表示部１０３を囲う閉曲線をなして形成されていることが好ましい。このように共通配線１１３を形成することにより、表示装置１００へ外部から入力される電気的なノイズが抑制され、表示品位を向上させる効果を奏する。また、表示装置１００の作製工程中や、表示装置１００を使用する際に発生する静電気等による高電圧が表示装置１００内部のトランジスタや発光素子への静電破壊を引き起こしてしまうことを抑制する効果も合わせて奏する。
【００４６】
＜複数の外部入力端子を有する表示装置の構成例＞
上記で例示した表示装置１００は、外部入力端子１０９が１つ配置されている構成としたが、２以上の外部入力端子を有する表示装置にも適用可能である。以下では、複数の外部入力端子を有する表示装置を例示する。
【００４７】
図２（Ａ）には、６個の外部入力端子１０９を有する表示装置１５０の上面概略図を示している。なお明瞭化のため、図中にはＦＰＣは明示していない。
【００４８】
表示装置１５０は、表示部１０３の３辺に沿って駆動回路部１０５が設けられている。また、表示部１０３を挟んでそれぞれ３つずつ外部入力端子１０９が配置され、それぞれの外部入力端子１０９と駆動回路部１０５とは信号線１０７によって電気的に接続されている。
【００４９】
また、共通配線１１３は、表示部１０３、駆動回路部１０５及び外部入力端子１０９を囲い、且つ信号線１０７と重ならないように配置されている。また封止領域内（第２の基板１２１と重なる領域内）において、共通配線１１３上には開口部１１７が設けられ、共通電極１１５と電気的に接続されている。
【００５０】
また、共通配線１１３は、第１の基板１０１の４隅に配置される４つの外部入力端子１０９に電気的に接続されている。したがって、これら４個の外部入力端子１０９に接続されるＦＰＣから共通電位が供給される。
【００５１】
また、図２（Ｂ）には、１０個の外部入力端子１０９を有する表示装置１６０の上面概略図を示す。上記と同様に、図２（Ｂ）にはＦＰＣを明示していない。
【００５２】
表示装置１６０は、表示部１０３の周囲を囲うように駆動回路部１０５が設けられている。また、表示部１０３の対向する２つの一対の辺に沿って、一方の対には３個ずつ、他方の対には２個ずつ、計１０個の外部入力端子１０９が配置されている。さらに、それぞれの外部入力端子１０９と駆動回路部１０５とは信号線１０７によって電気的に接続されている。
【００５３】
また、共通配線１１３は、表示部１０３、駆動回路部１０５及び外部入力端子１０９を囲い、且つ信号線１０７と重ならないように配置されている。また封止領域内において、共通配線１１３上には開口部１１７が設けられ、共通電極１１５と電気的に接続されている。
【００５４】
また、共通配線１１３は、第１の基板１０１の４隅に配置されている４個の外部入力端子１０９に電気的に接続されている。したがってこれら４個の外部入力端子１０９に接続されるＦＰＣから共通電位が供給される。
【００５５】
ここで、表示装置１５０や表示装置１６０のように、共通配線１１３を２個以上の外部入力端子１０９と接続する構成とすることにより、異なる外部入力端子から供給される共通電位に多少のずれが生じていたとしても、それぞれの外部入力端子から共通電極１１５に供給される電位のばらつきの影響や共通電極１１５内での電位のばらつきを緩和することができ、表示画像の輝度ムラが抑制されるため好ましい。
【００５６】
さらに、共通配線１１３を表示部１０３及び駆動回路部１０５を囲うように閉曲線をなして配置することにより、表示装置へ外部から入力される電気的なノイズが抑制され、表示品位を向上させると共に、表示装置の作製工程中、及び使用中の静電破壊の発生を抑制することができるためより好ましい。
【００５７】
＜表示装置の断面構成例＞
続いて表示装置１００の断面構造について図３（Ａ）を参照して説明する。図３（Ａ）は、図１中の共通配線１１３、外部入力端子１０９、信号線１０７、駆動回路部１０５、表示部１０３を含む領域を切断する切断線Ａ−Ｂにおける断面概略図である。
【００５８】
駆動回路部１０５は、ｎチャネル型のトランジスタ１２３とｐチャネル型のトランジスタ１２４とを組み合わせたＣＭＯＳ回路を有する例を示している。なお、駆動回路部１０５を形成する回路は、種々のＣＭＯＳ回路、ＰＭＯＳ回路、またはＮＭＯＳ回路で形成することができる。また、本実施の形態では、表示部が形成される基板上に駆動回路が形成されたドライバー一体型の構成を示すが、本発明はこの構成に限定されるものではなく、駆動回路を表示部が形成された基板に形成せずに、別途形成した駆動回路を実装する構成としてもよい。
【００５９】
図３（Ａ）には、表示部１０３として一画素分の断面構造を示している。一つの画素は、スイッチング用のトランジスタ１２５と、電流制御用のトランジスタ１２６と、電流制御用のトランジスタ１２６の電極（ソース電極またはドレイン電極）に電気的に接続された画素電極１３３とを備える。表示部１０３は、複数の画素により形成されている。また、画素電極１３３の端部を覆って絶縁層１２９が形成されている。
【００６０】
なお、駆動回路部１０５を構成するトランジスタ、及びスイッチング用のトランジスタ１２５や電流制御用のトランジスタ１２６等のトランジスタの構造は、特に限定されない。例えば、スタガ型のトランジスタでもよいし、逆スタガ型のトランジスタでもよい。また、トップゲート型のトランジスタでもよいし、ボトムゲート型のトランジスタでもよい。また、トランジスタに用いる半導体の材料についても特に限定されず、シリコンを用いてもよいし、インジウム、ガリウム、及び亜鉛の少なくともひとつを含む酸化物等の酸化物半導体を用いてもよい。また、トランジスタに用いる半導体の結晶性についても特に限定されず、非晶質半導体を用いてもよいし、結晶性半導体を用いてもよい。
【００６１】
発光素子１３１は、画素電極１３３、ＥＬ層１３５、及び共通電極１１５によって構成されている。発光素子の構造、材料等については実施の形態３で詳細に説明する。
【００６２】
画素電極１３３または共通電極１１５に用いる導電層として、光射出側に設ける電極にはＥＬ層１３５の発光に対して透光性を有する材料を用い、光射出側とは反対側に設ける電極には、当該発光に対して反射性を有する材料を用いる。
【００６３】
光射出側の導電層に用いることができる透光性を有する材料としては、酸化インジウム、インジウム錫酸化物、インジウム亜鉛酸化物、酸化亜鉛、ガリウムを添加した酸化亜鉛、グラフェンなどが挙げられる。また、上記導電層として、金、銀、白金、マグネシウム、ニッケル、タングステン、クロム、モリブデン、鉄、コバルト、銅、パラジウム、またはチタン等の金属材料や、これら金属材料を含む合金材料を用いることができる。または、上記金属材料の窒化物（例えば、窒化チタン）等を用いてもよい。なお、金属材料、合金材料（またはその窒化物）を用いる場合、透光性を有する程度に薄くすればよい。また、上記材料の積層膜を導電層として用いることができる。例えば、銀とマグネシウムの合金とインジウム錫酸化物との積層膜などを用いると、導電性を高めることができるため好ましい。
【００６４】
光射出側とは反対側に設けられる導電層に用いることができる反射性を有する材料としては、アルミニウム、金、白金、銀、ニッケル、タングステン、クロム、モリブデン、鉄、コバルト、銅、またはパラジウム等の金属材料や、これら金属材料を含む合金材料が挙げられる。そのほか、アルミニウムとチタンの合金、アルミニウムとニッケルの合金、アルミニウムとネオジムの合金などのアルミニウムを含む合金（アルミニウム合金）や銀と銅の合金、銀とマグネシウムの合金などの銀を含む合金を用いることもできる。銀と銅の合金は、耐熱性が高いため好ましい。さらに、アルミニウム合金膜に接する金属膜、または金属酸化物膜を積層することでアルミニウム合金膜の酸化を抑制することができる。該金属膜、金属酸化物膜の材料としては、チタン、酸化チタンなどが挙げられる。また、上記透光性を有する材料からなる膜と金属材料からなる膜との積層としてもよい。例えば、銀とインジウム錫酸化物の積層、銀とマグネシウムの合金とインジウム錫酸化物の積層などを用いることができる。
【００６５】
絶縁層１２９は、画素電極１３３の端部を覆って設けられている。そして、絶縁層１２９の上層に形成される共通電極１１５の被覆性を良好なものとするため、絶縁層１２９の上端部または下端部に曲率を有する曲面が形成されるようにするのが好ましい。例えば、絶縁層１２９の上端部または下端部に曲率半径（０．２μｍ〜３μｍ）を有する曲面を持たせるのが好ましい。また、絶縁層１２９の材料としては、ネガ型の感光性樹脂、あるいはポジ型の感光性樹脂などの有機化合物や、酸化シリコン、酸窒化シリコン等の無機化合物を用いることができる。
【００６６】
なお、第１の基板１０１の表面には、絶縁層１３７が形成されている。絶縁層１３７は、第１の基板１０１に含まれる不純物の拡散を抑制する効果を有する。また、各々のトランジスタのソース電極及びドレイン電極上に接して絶縁層１３９が形成されている。絶縁層１３９は各々のトランジスタを構成する半導体への不純物の拡散を抑制する効果を奏する。絶縁層１３７及び絶縁層１３９には、不純物の拡散を抑制する無機絶縁膜を用いればよく、例えば酸化シリコンや酸化アルミニウムなどの半導体酸化物または金属酸化物を用いることができる。なお、絶縁層１３７及び絶縁層１３９は、不要であれば設けなくてもよい。
【００６７】
第２の基板１２１には、発光素子１３１と重なる位置にカラーフィルタ１４１が設けられている。カラーフィルタ１４１は、発光素子１３１からの発光色を調色する目的で設けられる。例えば、白色発光の発光素子を用いてフルカラーの表示装置とする場合には、異なる色のカラーフィルタを設けた複数の画素を用いる。その場合、赤色（Ｒ）、緑色（Ｇ）、青色（Ｂ）の３色を用いてもよいし、これに黄色（Ｙ）、または白色（Ｗ）を加えた４色とすることもできる。
【００６８】
また、隣接するカラーフィルタ１４１の間にはブラックマトリックス１４３が設けられている。ブラックマトリックス１４３は隣接する画素の発光素子１３１からの光を遮光し、隣接画素間における混色を抑制する。ここで、カラーフィルタ１４１の端部を、ブラックマトリックス１４３と重なるように設けることにより、光漏れを抑制することができる。ブラックマトリックス１４３は、発光素子１３１からの発光を遮光する材料を用いることができ、金属や、有機樹脂などの材料を用いて形成することができる。なお、ブラックマトリックス１４３は、駆動回路部１０５などの表示部１０３以外の領域に設けてもよい。
【００６９】
また、カラーフィルタ１４１及びブラックマトリックス１４３を覆うオーバーコート１４５が形成されている。オーバーコート１４５は、発光素子１３１からの発光を透過する材料から構成され、例えば無機絶縁膜や有機絶縁膜を用いることができる。なお、オーバーコート１４５は不要なら設けなくてもよい。
【００７０】
また、図３（Ａ）に示す断面図では発光素子１３１を１つのみ図示しているが、表示部１０３においては、複数の発光素子がマトリクス状に配置されている。例えば、表示部１０３に３種類（Ｒ、Ｇ、Ｂ）の発光が得られる発光素子をそれぞれ選択的に形成し、フルカラー表示可能な表示装置を形成することができる。後の実施の形態で例示する白色発光のＥＬ層を有する発光素子とカラーフィルタを組み合わせることによってフルカラー表示可能な表示装置とすることができる。また、当該発光素子は、上面射出方式（トップエミッション方式とも言う。）、下面射出方式（ボトムエミッション方式とも言う。）、または両面射出方式のいずれも採ることができる。下面射出方式でカラーフィルタを用いる場合には、光射出側（画素電極１３３よりも第１の基板１０１側）にカラーフィルタを設ければよい。
【００７１】
第１の基板１０１と第２の基板１２１とは第２の基板１２１の外周部においてシール材１１９によって接着されている。シール材１１９としては、熱硬化樹脂、または光硬化樹脂などの有機樹脂や、低融点ガラス（フリットガラスともいう）などを用いることができる。また、シール材１１９に乾燥剤が含まれていてもよい。例えば、アルカリ土類金属の酸化物（酸化カルシウムや酸化バリウム等）のように、化学吸着によって水分を吸収する物質を用いることができる。その他の乾燥剤として、ゼオライトやシリカゲル等のように、物理吸着によって水分を吸着する物質を用いてもよい。乾燥剤が含まれていると、封止領域内の水分などの不純物を低減し、発光素子１３１の信頼性が向上するため好ましい。
【００７２】
また、発光素子１３１は、第１の基板１０１、第２の基板１２１、及びシール材１１９で囲まれた封止領域内に設けられている。当該封止領域は、希ガスまたは窒素ガスなどの不活性ガス、または有機樹脂などの固体で充填されていてもよく、減圧雰囲気となっていてもよい。封止領域をガスや固体で充填する場合や、減圧雰囲気とする場合でも、封止領域内を水や酸素などの不純物が低減されている状態とすると発光素子の信頼性が向上するため好ましい。
【００７３】
また、駆動回路部１０５に接続する信号線１０７が封止領域外にまで引き出され、封止領域外に設けられた外部入力端子１０９に電気的に接続されている。ここでは、各々のトランジスタのゲート電極は第１の導電膜を用いて形成され、信号線１０７と各々のトランジスタのソース電極またはドレイン電極は第２の導電膜を用いて形成されている。また第１の導電膜を用いて形成された導電層と信号線１０７の一部が、絶縁層１３８に設けられた開口部において電気的に接続されている。このように信号線１０７の一部と第１の導電膜を用いて形成された導電層とが積層された電極で、外部入力端子１０９が構成されている。
【００７４】
さらに、外部入力端子１０９に接して接続体１４７が設けられ、当該接続体１４７を介してＦＰＣ１１１と外部入力端子１０９とが電気的に接続している。接続体１４７としては、熱硬化性の樹脂に金属粒子を混ぜ合わせたペースト状またはシート状の材料を用い、熱圧着によって異方性の導電性を示す材料を用いることができる。金属粒子としては、例えばＮｉ粒子をＡｕで被覆したものなど、２種類以上の金属が層状となった粒子を用いることが好ましい。
【００７５】
また、封止領域内において共通電極１１５は、絶縁層１３８に設けられた開口部１１７を介して、共通配線１１３に電気的に接続されている。ここでは、共通配線１１３は各々のトランジスタのゲート電極と同一の第１の導電膜を用いて形成されている。
【００７６】
また、共通配線１１３は信号線１０７と重ならないように設けられている。さらに、封止領域外においては、外部入力端子１０９よりも外側（第１の基板１０１の外周側）に引き回されている。ここで、ＦＰＣ１１１と共通配線１１３とが重なる領域が形成されるが、ＦＰＣ１１１と共通配線１１３との距離は十分に大きいため、ＦＰＣ１１１と共通配線１１３との間には寄生容量は形成されず、ＦＰＣ１１１から入力される信号の遅延や形状のなまりが生じることは極めて抑制される。
【００７７】
このように、本発明の一態様の表示装置は、ＦＰＣ１１１から信号が入力される信号線１０７と共通配線１１３とが重ならないように、共通配線１１３が信号線１０７及び外部入力端子１０９を囲うようにしてレイアウトされている。したがって、信号線１０７と共通配線１１３の間に寄生容量が形成されることがなく、駆動回路部１０５に入力される信号の遅延や形状のなまりを抑制することができ、表示装置の高速駆動が実現できる。また、当該寄生容量が形成されないため、寄生容量への充放電の影響が抑制され、表示装置１００を駆動するための消費電力の増加を抑制することができる。
【００７８】
さらに、共通配線１１３は、表示装置１００内のトランジスタや発光素子を構成する導電層と同一の導電膜を用いて形成することができる。具体的には、各々のトランジスタのゲート電極を構成する第１の導電膜、ソース電極またはドレイン電極を構成する第２の導電膜、または発光素子１３１の画素電極１３３を構成する第３の導電膜と同一の膜を用いて形成することができる。したがって工程を増やすことなく容易に共通配線１１３を形成できる。共通配線１１３に用いる導電膜は、比較的低抵抗な材料であることが好ましく、例えば上述の光射出側とは反対側に設けられる電極の材料を適宜用いることができる。
【００７９】
ここで、図３（Ａ）では、共通配線１１３として各々のトランジスタのゲート電極と同一の第１の導電膜を用いて形成する構成を例示したが、以下では異なる導電膜を用いて形成した場合について説明する。
【００８０】
図３（Ｂ）には、共通配線１１３を各々のトランジスタのソース電極またはドレイン電極と同一の第２の導電膜を用いて形成した場合の断面概略図を示す。
【００８１】
封止領域内において、共通電極１１５と共通配線１１３とは、共通配線１１３上の絶縁層１３９に形成された開口部１１７を介して電気的に接続されている。また、封止領域外では共通配線１１３上には絶縁層１３９が形成され、共通配線１１３が露出しない構成となっている。
【００８２】
また、共通配線１１３は信号線１０７と重ならないようにレイアウトされているため、図３（Ｂ）に示すように、共通配線１１３を信号線１０７と同一の導電膜を含んで構成することもできる。共通配線１１３や信号線１０７といった比較的引き回しの距離が長い配線においては、配線抵抗を低減するために比較的厚い導電膜を用いることが好ましく、これらを同一の導電膜を用いて形成することにより作製時間を短縮することができる。
【００８３】
図４（Ａ）には、共通配線１１３として、各々のトランジスタのゲート電極と同一の第１の導電膜を用いて形成された導電層と、ソース電極またはドレイン電極と同一の第２の導電膜を用いて形成された導電層とが積層された導電層を用いた場合の断面概略図を示す。
【００８４】
封止領域内において、絶縁層１３８に形成された開口部を介して共通配線１１３を構成する第１の導電膜を用いて形成された導電層と第２の導電膜を用いて形成された導電層が電気的に接続されている。また、絶縁層１３９に形成された開口部１１７を介して共通電極１１５と共通配線１１３（具体的には共通配線１１３を構成する第２の導電膜を用いて形成された導電層）が電気的に接続されている。また、封止領域外では共通配線１１３上に絶縁層１３９が形成され、共通配線１１３が露出しない構成となっている。
【００８５】
図４（Ｂ）には、共通配線１１３として、各々のトランジスタのソース電極またはドレイン電極と同一の第２の導電膜を用いて形成された導電層と、発光素子１３１の画素電極１３３と同一の第３の導電膜を用いて形成された導電層が積層された導電層を用いた場合の断面概略図を示す。
【００８６】
封止領域内において、第２の導電膜を用いて形成された導電層と第３の導電膜を用いて形成された導電層とが積層されて共通配線１１３が形成されている。さらに共通配線１１３上の絶縁層１３９に形成された開口部１１７を介して共通電極１１５と共通配線１１３（具体的には共通配線１１３を構成する第３の導電膜を用いて形成された導電層）が電気的に接続されている。また、封止領域外では、共通配線１１３上に絶縁層１３９が形成され、共通配線１１３が露出しない構成となっている。
【００８７】
図４（Ａ）及び図４（Ｂ）に示すように、共通配線１１３として、２以上の導電層が積層された導電層を用いることにより、共通配線１１３の導電性が高まるためより好ましい。
【００８８】
なお、共通配線１１３の構成はこれに限られず、表示装置１００内のトランジスタまたは発光素子を構成する導電層と同一の導電膜を用いて形成された導電層を単層で、または積層して用いることができる。また３以上の導電層を積層して用いることもできる。導電層を積層して用いる場合には、それぞれの導電層の間に形成されている絶縁層に開口部を形成して、当該開口部を介してこれらを電気的に接続する構成とすればよい。また、表示装置１００に２以上の多層配線を適用する場合であっても、共通配線１１３は、いずれかの配線と同一の導電膜を用いて形成された導電層を単層で、または積層して用いればよい。
【００８９】
本実施の形態は、本明細書中に記載する他の実施の形態と適宜組み合わせて実施することができる。
【００９０】
（実施の形態２）
本実施の形態では、液晶素子が適用された本発明の一態様の表示装置について図５を参照して説明する。なお、以下では、実施の形態１で説明した内容と重複する部分においては説明を省略するか、または簡略化して説明する場合がある。
【００９１】
図５（Ａ）は、基板面に対して横方向に電界を発生させる方式の液晶素子が適用された表示装置１７０の断面概略図である。図５（Ａ）に示す表示装置１７０は主に、表示部１０３の画素に１つのトランジスタが適用されている点、表示素子として液晶素子が適用されている点で、実施の形態１で例示した表示装置と異なる。
【００９２】
表示部１０３において、１つの画素は少なくとも１つのスイッチング用のトランジスタ１２７を有する。トランジスタ１２７の電極（ソース電極またはドレイン電極）には、絶縁層１２９上に設けられたくし状の画素電極１７３が電気的に接続されている。また、画素電極１７３と同一平面上に、くし状の共通電極１１５が配置されている。
【００９３】
なお、本実施の形態において画素電極１７３と共通電極１１５とを同一平面上に設ける構成としたが、それぞれの電極を、絶縁層を介して異なる平面上に設けてもよい。その場合は、下層に配置される電極と上層に配置される電極とが重ならない領域を設ける。
【００９４】
また、封止領域内において、少なくとも画素電極１７３及び共通電極１１５と、第２の基板１２１との間には液晶１７５が封入されている。ここで、画素電極１７３、共通電極１１５及び液晶１７５により液晶素子１７１が構成されている。
【００９５】
表示装置１７０は、画素電極１７３と共通電極１１５との間に電圧を印加することにより、横方向に電界が生じ、当該電界によって液晶１７５の配向が制御され、表示装置１７０外部に配置されたバックライトからの光の偏光を画素単位で制御することにより画像を表示するものである。
【００９６】
液晶１７５と接する面には、液晶１７５の配向を制御する配向膜を設けてもよい。配向膜には透光性の材料を用いる。また、第１の基板１０１及び第２の基板１２１のいずれかの面に偏光板を設けてもよい。また導光板を用いてバックライトからの光を表示装置１７０の側面から入射する構成としてもよい。
【００９７】
第２の基板１２１の液晶素子１７１と対向する面には、カラーフィルタ１４１が形成されている。カラーフィルタ１４１を用いることにより、白色発光のバックライトを用いてフルカラーの画像表示を実現できる。また、バックライトとして複数の発光ダイオード（ＬＥＤ）を用いて、時間分割表示方式（フィールドシーケンシャル駆動方式）を行うこともできる。時間分割表示方式を用いた場合、カラーフィルタを用いる必要がなく、また例えばＲ（赤色）、Ｇ（緑色）、Ｂ（青色）のそれぞれの発光を呈する副画素を備える必要がないため開口率の向上、または単位面積あたりの画素数を増加できる利点を有する。
【００９８】
液晶１７５としては、サーモトロピック液晶、低分子液晶、高分子液晶、強誘電液晶、反強誘電液晶などを用いることができる。また、ブルー相を示す液晶を使用すると、配向膜が不要であり、かつ広い視野角が得られるため好ましい。
【００９９】
封止領域内において、共通電極１１５は絶縁層１２９及び絶縁層１３９に設けられた開口部を介して、各々のトランジスタのソース電極またはドレイン電極と同一の第２の導電膜を用いて形成された接続配線に電気的に接続されている。さらに、当該接続配線は、絶縁層１３８に設けられた開口部１１７を介して各々のトランジスタのゲート電極と同一の第１の導電膜を用いて形成された共通配線１１３と電気的に接続されている。また、封止領域外では、共通配線１１３上には絶縁層１３８及び絶縁層１３９が形成され、共通配線１１３が露出しない構成となっている。また、共通配線１１３は外部入力端子１０９よりも外側に設けられると共に、信号線１０７と重ならないようにレイアウトされている。
【０１００】
なお、図５（Ａ）では、共通配線１１３を各々のトランジスタのゲート電極と同一の第１の導電膜を用いて形成する構成としたが、実施の形態１で例示したように、トランジスタや画素電極を構成する他の導電層と同一の導電膜を用いて形成された導電層で構成してもよいし、２以上の導電層を積層して共通配線１１３を構成してもよい。
【０１０１】
図５（Ｂ）は、基板面に対して垂直方向に電界を発生させる液晶素子が適用された表示装置１８０の断面概略図である。表示装置１８０は主に、画素電極１８３と共通電極１１５とが対向して設けられている点で、上記表示装置１７０と異なる。
【０１０２】
表示部１０３において、スイッチング用のトランジスタ１２７の電極には、絶縁層１２９上に設けられた画素電極１８３が電気的に接続されている。また、画素電極１８３と対向して共通電極１１５が第２の基板１２１上に設けられている。
【０１０３】
また、封止領域内において、少なくとも画素電極１８３と共通電極１１５との間には液晶１７５が封入されている。ここで、画素電極１８３、共通電極１１５及び液晶１７５により液晶素子１８１が構成されている。なお、液晶１７５が封入されている領域には、第１の基板１０１と第２の基板１２１とのギャップを調整するためのスペーサが封入されていてもよい。
【０１０４】
表示装置１８０は、画素電極１８３と共通電極１１５との間に電圧を印加することにより垂直方向に電界が生じ、当該電界によって液晶１７５の配向が制御され、表示装置１８０の外部に配置されたバックライトからの光の偏光を画素単位で制御することにより画像を表示するものである。
【０１０５】
封止領域内において、共通電極１１５は、接続体１８５を介して各々のトランジスタのソース電極またはドレイン電極と同一の第２の導電膜を用いて形成された接続配線と電気的に接続されている。さらに、当該接続配線は、絶縁層１３８に設けられた開口部１１７を介して、各々のトランジスタのゲート電極と同一の第１の導電膜を用いて形成された共通配線１１３と電気的に接続されている。また、封止領域外では、共通配線１１３上には絶縁層１３８及び絶縁層１３９が形成され、共通配線１１３が露出しない構成となっている。また、共通配線１１３は外部入力端子１０９よりも外側に設けられると共に、信号線１０７と重ならないようにレイアウトされている。
【０１０６】
接続体１８５には、例えば樹脂材料でなる球体に導電膜が被膜されたものが混入した樹脂材料を用いることができる。当該樹脂材料は、異方性の導電物として機能し、共通電極１１５と上記接続配線とを電気的に接続することができる。球体に被膜する導電膜としては金属を用いることが好ましく、特に金（Ａｕ）などの化学的に安定で且つ低抵抗な金属材料を用いると、信頼性が向上すると共に、抵抗率や接触抵抗を低減できるため好ましい。
【０１０７】
なお、図５（Ｂ）では、共通配線１１３を各々のトランジスタのゲート電極と同一の第１の導電膜を用いて形成する構成としたが、実施の形態１で例示したように、他の導電層と同一の導電膜を用いて形成された導電層で構成してもよいし、２以上の導電層を積層して共通配線１１３を構成してもよい。
【０１０８】
このように、本発明の一態様の液晶素子が適用された表示装置は、ＦＰＣ１１１から信号が入力される信号線１０７と共通配線１１３とが重ならないように、共通配線１１３が信号線１０７及び外部入力端子１０９を囲うようにしてレイアウトされている。したがって、信号線１０７と共通配線１１３の間に寄生容量が形成されることがなく、駆動回路部１０５に入力される信号の遅延や形状のなまりを抑制することができ、表示装置の高速駆動が実現できる。また、当該寄生容量が形成されないため、寄生容量への充放電の影響が抑制され、表示装置を駆動するための消費電力の増加を抑制することができる。
【０１０９】
さらに、共通配線１１３は、表示装置を構成する配線や電極と同一の導電膜を用いて形成することができる。したがって、工程を追加することなく共通配線１１３を形成することができる。
【０１１０】
本実施の形態は、本明細書中に記載する他の実施の形態と適宜組み合わせて実施することができる。
【０１１１】
（実施の形態３）
本実施の形態では、本発明の一態様の表示装置に適用できるＥＬ層について図６を用いて説明する。
【０１１２】
図６（Ａ）に示すＥＬ層７１１は、第１の電極７１２と第２の電極７１３の間に設けられている。第１の電極７１２及び第２の電極７１３は、上記実施の形態で例示した共通電極または画素電極と同様の構成を適用することができる。
【０１１３】
本実施の形態で例示するＥＬ層７１１を有する発光素子は、上記実施の形態で例示した表示装置に適用可能である。
【０１１４】
ＥＬ層７１１は、少なくとも発光性の有機化合物を含む発光層が含まれていればよい。そのほか、電子輸送性の高い物質を含む層、正孔輸送性の高い物質を含む層、電子注入性の高い物質を含む層、正孔注入性の高い物質を含む層、バイポーラ性の物質（電子輸送性及び正孔輸送性が高い物質）を含む層等を適宜組み合わせた積層構造を構成することができる。本実施の形態において、ＥＬ層７１１は、第１の電極７１２側から、正孔注入層７０１、正孔輸送層７０２、発光性の有機化合物を含む層７０３、電子輸送層７０４、及び電子注入層７０５の順で積層されている。なお、これらを反転させた積層構造としてもよい。
【０１１５】
図６（Ａ）に示すＥＬ層７１１の作製方法について説明する。
【０１１６】
正孔注入層７０１は、正孔注入性の高い物質を含む層である。正孔注入性の高い物質としては、例えば、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物等の金属酸化物を用いることができる。また、フタロシアニン（略称：Ｈ２Ｐｃ）、銅（ＩＩ）フタロシアニン（略称：ＣｕＰｃ）等のフタロシアニン系の化合物を用いることができる。
【０１１７】
また、低分子の有機化合物である芳香族アミン化合物等を用いることができる。
【０１１８】
さらに、高分子化合物（オリゴマー、デンドリマー、ポリマー等）を用いることもできる。また、酸を添加した高分子化合物を用いることができる。
【０１１９】
特に、正孔注入層７０１として、正孔輸送性の高い有機化合物にアクセプター性物質を含有させた複合材料を用いることが好ましい。正孔輸送性の高い物質にアクセプター性物質を含有させた複合材料を用いることにより、第１の電極７１２からの正孔注入性を良好にし、発光素子の駆動電圧を低減することができる。これらの複合材料は、正孔輸送性の高い物質とアクセプター物質（電子受容体）とを共蒸着することにより形成することができる。該複合材料を用いて正孔注入層７０１を形成することにより、第１の電極７１２からＥＬ層７１１への正孔注入が容易となる。
【０１２０】
複合材料に用いる有機化合物としては、芳香族アミン化合物、カルバゾール誘導体、芳香族炭化水素、高分子化合物（オリゴマー、デンドリマー、ポリマー等）など、種々の化合物を用いることができる。なお、複合材料に用いる有機化合物としては、正孔輸送性の高い有機化合物であることが好ましい。具体的には、１０−６ｃｍ２／Ｖｓ以上の正孔移動度を有する物質であることが好ましい。但し、電子よりも正孔の輸送性の高い物質であれば、これら以外のものを用いてもよい。
【０１２１】
また、アクセプター物質としては、有機化合物や、遷移金属酸化物を挙げることができる。また、元素周期表における第４族乃至第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０１２２】
なお、高分子化合物と、上述した電子受容体を用いて複合材料を形成し、正孔注入層７０１に用いてもよい。
【０１２３】
正孔輸送層７０２は、正孔輸送性の高い物質を含む層である。正孔輸送性の高い物質としては、例えば、芳香族アミン化合物を用いることができる。これらは主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０１２４】
また、正孔輸送層７０２には、カルバゾール誘導体や、アントラセン誘導体や、そのほか正孔輸送性の高い高分子化合物を用いてもよい。
【０１２５】
発光性の有機化合物を含む層７０３は、蛍光を発光する蛍光性化合物や燐光を発光する燐光性化合物を用いることができる。
【０１２６】
なお、発光性の有機化合物を含む層７０３としては、発光性の有機化合物（ゲスト材料）を他の物質（ホスト材料）に分散させた構成としてもよい。ホスト材料としては、各種のものを用いることができ、発光性の物質よりも最低空軌道準位（ＬＵＭＯ準位）が高く、最高被占有軌道準位（ＨＯＭＯ準位）が低い物質を用いることが好ましい。
【０１２７】
また、ホスト材料は複数種用いることができる。例えば、結晶化を抑制するために結晶化を抑制する物質をさらに添加してもよい。また、ゲスト材料へのエネルギー移動をより効率良く行うために、さらに異なる物質を添加してもよい。
【０１２８】
ゲスト材料をホスト材料に分散させた構成とすることにより、発光性の有機化合物を含む層７０３の結晶化を抑制することができる。また、ゲスト材料の濃度が高いことによる濃度消光を抑制することができる。
【０１２９】
また、発光性の有機化合物を含む層７０３として高分子化合物を用いることができる。
【０１３０】
また、発光性の有機化合物を含む層を複数設け、それぞれの層の発光色を異なるものにすることで、発光素子全体として、所望の色の発光を得ることができる。例えば、発光性の有機化合物を含む層を２つ有する発光素子において、第１の発光性の有機化合物を含む層の発光色と第２の発光性の有機化合物を含む層の発光色を補色の関係になるようにすることで、発光素子全体として白色発光する発光素子を得ることも可能である。なお、補色とは、混合すると無彩色になる色同士の関係をいう。つまり、補色の関係にある色を発光する物質から得られた光を混合すると、白色発光を得ることができる。また、発光性の有機化合物を含む層を３つ以上有する発光素子の場合でも同様である。
【０１３１】
電子輸送層７０４は、電子輸送性の高い物質を含む層である。電子輸送性の高い物質としては、主に１０−６ｃｍ２／Ｖｓ以上の電子移動度を有する物質である。また、電子輸送層７０４は、単層のものだけでなく、上記物質からなる層が二層以上積層したものとしてもよい。
【０１３２】
電子注入層７０５は、電子注入性の高い物質を含む層である。電子注入層７０５には、リチウム、セシウム、カルシウム、フッ化リチウム、フッ化セシウム、フッ化カルシウム、リチウム酸化物等のようなアルカリ金属、アルカリ土類金属、またはそれらの化合物を用いることができる。また、フッ化エルビウムのような希土類金属化合物を用いることができる。また、上述した電子輸送層７０４を構成する物質を用いることもできる。
【０１３３】
なお、上述した正孔注入層７０１、正孔輸送層７０２、発光性の有機化合物を含む層７０３、電子輸送層７０４、電子注入層７０５は、それぞれ、蒸着法（真空蒸着法を含む）、インクジェット法、または塗布法等の方法で形成することができる。
【０１３４】
ＥＬ層は、図６（Ｂ）に示すように、第１の電極７１２と第２の電極７１３との間に複数積層されていてもよい。この場合、積層された第１のＥＬ層８００と第２のＥＬ層８０１との間には、電荷発生層８０３を設けることが好ましい。電荷発生層８０３は上述の複合材料で形成することができる。また、電荷発生層８０３は複合材料からなる層と他の材料からなる層との積層構造でもよい。この場合、他の材料からなる層としては、電子供与性物質（ドナー性物質）と電子輸送性の高い物質とを含む層や、透明導電膜からなる層などを用いることができる。このような構成を有する発光素子は、エネルギーの移動や消光などの問題が起こり難く、材料の選択の幅が広がることで高い発光効率と長い寿命とを併せ持つ発光素子とすることが容易である。また、一方のＥＬ層で燐光発光、他方で蛍光発光を得ることも容易である。この構造は上述のＥＬ層の構造と組み合わせて用いることができる。
【０１３５】
また、それぞれのＥＬ層の発光色を異なるものにすることで、発光素子全体として、所望の色の発光を得ることができる。例えば、２つのＥＬ層を有する発光素子において、第１のＥＬ層の発光色と第２のＥＬ層の発光色を補色の関係になるようにすることで、発光素子全体として白色発光する発光素子を得ることも可能である。なお、補色とは、混合すると無彩色になる色同士の関係をいう。つまり、補色の関係にある色を発光する物質から得られた光を混合すると、白色発光を得ることができる。また、３つ以上のＥＬ層を有する発光素子の場合でも同様である。
【０１３６】
また、演色性の良い白色発光を得る場合、発光スペクトルが可視光全域に広がるものとする必要があり、３つ以上のＥＬ層が積層された発光素子とすることが好ましい。例えばそれぞれ赤色、青色、緑色の発光色のＥＬ層を積層して発光素子を形成することができる。このように異なる３色以上のＥＬ層が積層された発光素子とすることにより演色性を高めることができる。
【０１３７】
第１の電極７１２と第２の電極７１３との間に光学調整層を形成してもよい。光学調整層は、反射性を有する電極と透過性を有する電極との間の光学距離を調整する層である。光学調整層を設けることにより、特定の範囲の波長の光を強調することができるため、色調を調整することができる。
【０１３８】
ＥＬ層７１１は、図６（Ｃ）に示すように、第１の電極７１２と第２の電極７１３との間に、正孔注入層７０１、正孔輸送層７０２、発光性の有機化合物を含む層７０３、電子輸送層７０４、電子注入バッファー層７０６、電子リレー層７０７、及び第２の電極７１３と接する複合材料層７０８を有していてもよい。
【０１３９】
第２の電極７１３と接する複合材料層７０８を設けることで、特にスパッタリング法を用いて第２の電極７１３を形成する際に、ＥＬ層７１１が受けるダメージを低減することができるため、好ましい。複合材料層７０８は、前述の、正孔輸送性の高い有機化合物にアクセプター性物質を含有させた複合材料を用いることができる。
【０１４０】
さらに、電子注入バッファー層７０６を設けることで、複合材料層７０８と電子輸送層７０４との間の注入障壁を緩和することができるため、複合材料層７０８で生じた電子を電子輸送層７０４に容易に注入することができる。
【０１４１】
電子注入バッファー層７０６には、アルカリ金属、アルカリ土類金属、希土類金属、及びこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））等の電子注入性の高い物質を用いることが可能である。
【０１４２】
また、電子注入バッファー層７０６が、電子輸送性の高い物質とドナー性物質を含んで形成される場合には、電子輸送性の高い物質に対して質量比で、０．００１以上０．１以下の比率でドナー性物質を添加することが好ましい。なお、ドナー性物質としては、アルカリ金属、アルカリ土類金属、希土類金属、及びこれらの化合物（アルカリ金属化合物（酸化リチウム等の酸化物、ハロゲン化物、炭酸リチウムや炭酸セシウム等の炭酸塩を含む）、アルカリ土類金属化合物（酸化物、ハロゲン化物、炭酸塩を含む）、または希土類金属の化合物（酸化物、ハロゲン化物、炭酸塩を含む））の他、テトラチアナフタセン（略称：ＴＴＮ）、ニッケロセン、デカメチルニッケロセン等の有機化合物を用いることもできる。なお、電子輸送性の高い物質としては、先に説明した電子輸送層７０４の材料と同様の材料を用いて形成することができる。
【０１４３】
さらに、電子注入バッファー層７０６と複合材料層７０８との間に、電子リレー層７０７を形成することが好ましい。電子リレー層７０７は、必ずしも設ける必要は無いが、電子輸送性の高い電子リレー層７０７を設けることで、電子注入バッファー層７０６へ電子を速やかに送ることが可能となる。
【０１４４】
複合材料層７０８と電子注入バッファー層７０６との間に電子リレー層７０７が挟まれた構造は、複合材料層７０８に含まれるアクセプター性物質と、電子注入バッファー層７０６に含まれるドナー性物質とが相互作用を受けにくく、互いの機能を阻害しにくい構造である。したがって、駆動電圧の上昇を防ぐことができる。
【０１４５】
電子リレー層７０７は、電子輸送性の高い物質を含み、該電子輸送性の高い物質のＬＵＭＯ準位は、複合材料層７０８に含まれるアクセプター性物質のＬＵＭＯ準位と、電子輸送層７０４に含まれる電子輸送性の高い物質のＬＵＭＯ準位との間となるように形成する。また、電子リレー層７０７がドナー性物質を含む場合には、当該ドナー性物質のドナー準位も複合材料層７０８におけるアクセプター性物質のＬＵＭＯ準位と、電子輸送層７０４に含まれる電子輸送性の高い物質のＬＵＭＯ準位との間となるようにする。具体的なエネルギー準位の数値としては、電子リレー層７０７に含まれる電子輸送性の高い物質のＬＵＭＯ準位は−５．０ｅＶ以上、好ましくは−５．０ｅＶ以上−３．０ｅＶ以下とするとよい。
【０１４６】
電子リレー層７０７に含まれる電子輸送性の高い物質としてはフタロシアニン系の材料または金属−酸素結合と芳香族配位子を有する金属錯体を用いることが好ましい。
【０１４７】
電子リレー層７０７に含まれる金属−酸素結合と芳香族配位子を有する金属錯体としては、金属−酸素の二重結合を有する金属錯体を用いることが好ましい。金属−酸素の二重結合はアクセプター性（電子を受容しやすい性質）を有するため、電子の移動（授受）がより容易になる。また、金属−酸素の二重結合を有する金属錯体は安定であると考えられる。したがって、金属−酸素の二重結合を有する金属錯体を用いることにより発光素子を低電圧でより安定に駆動することが可能になる。
【０１４８】
金属−酸素結合と芳香族配位子を有する金属錯体としてはフタロシアニン系材料が好ましい。特に、分子構造的に金属−酸素の二重結合が他の分子に対して作用しやすい材料は、アクセプター性が高いため好ましい。
【０１４９】
なお、上述したフタロシアニン系材料としては、フェノキシ基を有するものが好ましい。具体的にはＰｈＯ−ＶＯＰｃのような、フェノキシ基を有するフタロシアニン誘導体が好ましい。フェノキシ基を有するフタロシアニン誘導体は、溶媒に可溶である。そのため、発光素子を形成する上で扱いやすいという利点を有する。また、溶媒に可溶であるため、成膜に用いる装置のメンテナンスが容易になるという利点を有する。
【０１５０】
電子リレー層７０７はさらにドナー性物質を含んでいてもよい。ドナー性物質としては、アルカリ金属、アルカリ土類金属、希土類金属及びこれらの化合物（アルカリ金属化合物（酸化リチウムなどの酸化物、ハロゲン化物、炭酸リチウムや炭酸セシウムなどの炭酸塩を含む）、アルカリ土類金属化合物（酸化物、ハロゲン化物、炭酸塩を含む）、または希土類金属の化合物（酸化物、ハロゲン化物、炭酸塩を含む））の他、テトラチアナフタセン（略称：ＴＴＮ）、ニッケロセン、デカメチルニッケロセンなどの有機化合物を用いることができる。電子リレー層７０７にこれらドナー性物質を含ませることによって、電子の移動が容易となり、発光素子をより低電圧で駆動することが可能になる。
【０１５１】
電子リレー層７０７にドナー性物質を含ませる場合、電子輸送性の高い物質としては上記した材料の他、複合材料層７０８に含まれるアクセプター性物質のアクセプター準位より高いＬＵＭＯ準位を有する物質を用いることができる。具体的なエネルギー準位としては、−５．０ｅＶ以上、好ましくは−５．０ｅＶ以上−３．０ｅＶ以下の範囲にＬＵＭＯ準位を有する物質を用いることが好ましい。このような物質としては例えば、ペリレン誘導体や、含窒素縮合芳香族化合物などが挙げられる。なお、含窒素縮合芳香族化合物は、安定であるため、電子リレー層７０７を形成する為に用いる材料として、好ましい材料である。
【０１５２】
なお、電子リレー層７０７にドナー性物質を含ませる場合、電子輸送性の高い物質とドナー性物質との共蒸着などの方法によって電子リレー層７０７を形成すればよい。
【０１５３】
正孔注入層７０１、正孔輸送層７０２、発光性の有機化合物を含む層７０３、及び電子輸送層７０４は前述の材料を用いてそれぞれ形成すればよい。
【０１５４】
以上により、本実施の形態のＥＬ層７１１を作製することができる。
【０１５５】
本実施の形態は、本明細書中に記載する他の実施の形態と適宜組み合わせて実施することができる。
【０１５６】
（実施の形態４）
本実施の形態では、本発明の一態様の表示装置に適用可能な液晶素子について、図７を用いて説明する。
【０１５７】
図７に示す液晶素子９０１は、第１の電極９０３と第２の電極９０５の間に液晶９０７が挟持されて構成されている。また、液晶９０７に接して、第１の電極９０３側に配向膜９０９ａを、また第２の電極９０５側には配向膜９０９ｂを有する。
【０１５８】
第１の電極９０３と第２の電極９０５には、それぞれ透光性の導電性材料を用いることができる。透光性を有する導電性材料としては、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物、インジウム亜鉛酸化物、または酸化シリコンを添加したインジウム錫酸化物等がある。また、導電性高分子（導電性ポリマーともいう）を含む導電性組成物を用いて形成することもできる。
【０１５９】
なお、透過型の液晶素子とする場合には、上述のように第１の電極９０３及び第２の電極９０５に透光性の導電性材料を用いるが、反射型の液晶素子とする場合には、視認側とは反対側の電極に反射性の導電性材料を用いる。例えば、チタン、モリブデン、アルミニウム、銅、タングステンもしくはタンタルなどの金属、または該金属からなる合金、またはこれらの積層体を用いることができる。
【０１６０】
配向膜９０９ａ及び配向膜９０９ｂは、液晶９０７の配向を制御するために設けられる。配向膜９０９ａ及び配向膜９０９ｂは、ポリイミド、ポリビニルアルコールなどの有機樹脂や、酸化シリコンなどの無機材料を用いることができる。また、配向膜９０９ａ及び配向膜９０９ｂの形成後、後に形成する液晶分子がある一定のプレチルト角を持って配向するように、配向膜９０９ａ及び配向膜９０９ｂにラビング処理を施す。ただし、配向膜９０９ａ及び配向膜９０９ｂとして、酸化シリコンなどの無機材料を用いた場合、配向処理を施すことなく、蒸着法で配向特性を有する配向膜９０９ａ及び配向膜９０９ｂを形成することも可能である。
【０１６１】
また、配向膜９０９ａ及び配向膜９０９ｂとして紫外線を照射することで液晶を配向させる配向膜を用いてもよい。このような配向膜としては、感光性樹脂であるポリビニルシンナメート（ＰＶＣｉ）などを用いればよい。このような配向膜を設けることにより、ラビング処理が不要となるため、ラビング処理によって引き起こされる静電破壊を防止することができ、作製工程中の液晶表示装置の不良や破損を軽減することができる。
【０１６２】
液晶９０７としては、サーモトロピック液晶、低分子液晶、高分子液晶、強誘電液晶、反強誘電液晶などの公知の液晶材料を用いることができる。
【０１６３】
また、配向膜が不要なブルー相を示す液晶を用いてもよい。ブルー相は液晶相の一つであり、コレステリック液晶を昇温していくと、コレステリック相から等方相へ転移する直前に発現する相である。ブルー相は狭い温度範囲でしか発現しないため、温度範囲を改善するために５重量％以上のカイラル剤を混合させた液晶組成物を液晶９０７に用いるとよい。ブルー相を示す液晶とカイラル剤とを含む液晶組成物は、応答速度が１ｍｓｅｃ以下と短く、光学的等方性であるため配向処理が不要であり、視野角依存性が小さい。
【０１６４】
また、ブルー相を示す液晶を用いると、配向膜へのラビング処理も不要となるため、ラビング処理によって引き起こされる静電破壊を防止することができ、作製工程中の液晶表示装置の不良や破損を軽減することができる。よって液晶表示装置の生産性を向上させることが可能となる。特に、トランジスタと組み合わせて液晶表示装置を構成する場合、静電気の影響によりトランジスタの電気的な特性が著しく変動して設計範囲を逸脱する恐れがある。よってトランジスタを有する液晶表示装置にブルー相の液晶材料を用いることはより効果的である。
【０１６５】
続いて、液晶素子９０１の動作モードについて説明する。ここでは一例として、ＴＮ（Ｔｗｉｓｔｅｄ  Ｎｅｍａｔｉｃ）方式について説明する。
【０１６６】
ＴＮ方式の液晶素子９０１では、無電界状態における液晶９０７内の液晶分子の配向が、一対の電極間で９０°ねじれるように配向している。したがって、無電界状態の液晶素子９０１に直線偏光の光を入射すると、光の振動方向が９０°ずれて射出される。
【０１６７】
また、一対の電極間に正しい電圧が印加されると、液晶９０７内の液晶分子が電界方向に揃う。したがって、電圧を印加した状態で液晶素子９０１に入射された光は、振動方向が変化することなく射出される。
【０１６８】
液晶素子９０１の光入射側と光射出側にはそれぞれ偏光板が設けられる。これら２枚の偏光板の配置を、それぞれの偏光軸が直交するように配置されたクロスニコル配置とすると、無電界状態で光が透過する、いわゆるノーマリーホワイトモードとなる。一方、偏光軸が平行に配置されたパラレルニコル配置とすると、無電界状態で光が遮断される、いわゆるノーマリーブラックモードとなる。
【０１６９】
液晶素子９０１の一対の電極間に印加する電圧を調整することにより、偏光板を介して射出する光の光量を調整することができる。
【０１７０】
なお、本実施の形態では、ＴＮ方式について説明したが、他の液晶素子の動作モードとして、ＶＡ（Ｖｅｒｔｉｃａｌ  Ａｌｉｇｎｍｅｎｔ）方式、ＭＶＡ（Ｍｕｌｔｉ−ｄｏｍａｉｎ  Ｖｅｒｔｉｃａｌ  Ａｌｉｇｎｍｅｎｔ）方式、ＩＰＳ（Ｉｎ−Ｐｌａｎｅ  Ｓｗｉｔｃｈｉｎｇ）方式、ＣＰＡ（Ｃｏｎｔｉｎｕｏｕｓ  Ｐｉｎｗｈｅｅｌ  Ａｌｉｇｎｍｅｎｔ）方式、ＰＶＡ（Ｐａｔｔｅｒｎｅｄ  Ｖｅｒｔｉｃａｌ  Ａｌｉｇｎｍｅｎｔ）方式などを適用することもできる。
【０１７１】
本実施の形態は、本明細書中に記載する他の実施の形態と適宜組み合わせて実施することができる。
【０１７２】
（実施の形態５）
本実施の形態では、本発明の一態様の表示装置を適用可能な電子機器について、図８を参照して説明する。
【０１７３】
表示装置を適用した電子機器として、例えば、テレビジョン装置（テレビ、またはテレビジョン受信機ともいう）、コンピュータ用などのモニタ、デジタルカメラ、デジタルビデオカメラ、デジタルフォトフレーム、携帯電話機（携帯電話、携帯電話装置ともいう）、携帯型ゲーム機、携帯情報端末、音響再生装置、パチンコ機などの大型ゲーム機などが挙げられる。これらの電子機器の具体例を図８に示す。
【０１７４】
図８（Ａ）は、テレビジョン装置の一例を示している。テレビジョン装置７１００は、筐体７１０１に表示部７１０３が組み込まれている。表示部７１０３により、映像を表示することが可能であり、表示装置を表示部７１０３に用いることができる。また、ここでは、スタンド７１０５により筐体７１０１を支持した構成を示している。
【０１７５】
テレビジョン装置７１００の操作は、筐体７１０１が備える操作スイッチや、別体のリモコン操作機７１１０により行うことができる。リモコン操作機７１１０が備える操作キー７１０９により、チャンネルや音量の操作を行うことができ、表示部７１０３に表示される映像を操作することができる。また、リモコン操作機７１１０に、当該リモコン操作機７１１０から出力する情報を表示する表示部７１０７を設ける構成としてもよい。
【０１７６】
なお、テレビジョン装置７１００は、受信機やモデムなどを備えた構成とする。受信機により一般のテレビ放送の受信を行うことができ、さらにモデムを介して有線または無線による通信ネットワークに接続することにより、一方向（送信者から受信者）または双方向（送信者と受信者間、あるいは受信者間同士など）の情報通信を行うことも可能である。
【０１７７】
図８（Ｂ）はコンピュータであり、本体７２０１、筐体７２０２、表示部７２０３、キーボード７２０４、外部接続ポート７２０５、ポインティングデバイス７２０６等を含む。なお、コンピュータは、表示装置をその表示部７２０３に用いることにより作製される。
【０１７８】
図８（Ｃ）は携帯型遊技機であり、筐体７３０１と筐体７３０２の２つの筐体で構成されており、連結部７３０３により、開閉可能に連結されている。筐体７３０１には表示部７３０４が組み込まれ、筐体７３０２には表示部７３０５が組み込まれている。また、図８（Ｃ）に示す携帯型遊技機は、その他、スピーカ部７３０６、記録媒体挿入部７３０７、ＬＥＤランプ７３０８、入力手段（操作キー７３０９、接続端子７３１０、センサ７３１１（力、変位、位置、速度、加速度、角速度、回転数、距離、光、液、磁気、温度、化学物質、音声、時間、硬度、電場、電流、電圧、電力、放射線、流量、湿度、傾度、振動、においまたは赤外線を測定する機能を含むもの）、マイクロフォン７３１２）等を備えている。もちろん、携帯型遊技機の構成は上述のものに限定されず、少なくとも表示部７３０４及び表示部７３０５の両方、または一方に表示装置を用いていればよく、その他付属設備が適宜設けられた構成とすることができる。図８（Ｃ）に示す携帯型遊技機は、記録媒体に記録されているプログラムまたはデータを読み出して表示部に表示する機能や、他の携帯型遊技機と無線通信を行って情報を共有する機能を有する。なお、図８（Ｃ）に示す携帯型遊技機が有する機能はこれに限定されず、様々な機能を有することができる。
【０１７９】
図８（Ｄ）は、携帯電話機の一例を示している。携帯電話機７４００は、筐体７４０１に組み込まれた表示部７４０２の他、操作ボタン７４０３、外部接続ポート７４０４、スピーカ７４０５、マイク７４０６などを備えている。なお、携帯電話機７４００は、表示装置を表示部７４０２に用いることにより作製される。
【０１８０】
図８（Ｄ）に示す携帯電話機７４００は、表示部７４０２を指などで触れることで、情報を入力することができる。また、電話を掛ける、あるいはメールを作成するなどの操作は、表示部７４０２を指などで触れることにより行うことができる。
【０１８１】
表示部７４０２の画面は主として３つのモードがある。第１は、画像の表示を主とする表示モードであり、第２は、文字等の情報の入力を主とする入力モードである。第３は表示モードと入力モードの２つのモードが混合した表示＋入力モードである。
【０１８２】
例えば、電話を掛ける、あるいはメールを作成する場合は、表示部７４０２を文字の入力を主とする文字入力モードとし、画面に表示させた文字の入力操作を行えばよい。この場合、表示部７４０２の画面のほとんどにキーボードまたは番号ボタンを表示させることが好ましい。
【０１８３】
また、携帯電話機７４００内部に、ジャイロ、加速度センサ等の傾きを検出するセンサを有する検出装置を設けることで、携帯電話機７４００の向き（縦か横か）を判断して、表示部７４０２の画面表示を自動的に切り替えるようにすることができる。
【０１８４】
また、画面モードの切り替えは、表示部７４０２を触れること、または筐体７４０１の操作ボタン７４０３の操作により行われる。また、表示部７４０２に表示される画像の種類によって切り替えるようにすることもできる。例えば、表示部に表示する画像信号が動画のデータであれば表示モード、テキストデータであれば入力モードに切り替える。
【０１８５】
また、入力モードにおいて、表示部７４０２の光センサで検出される信号を検知し、表示部７４０２のタッチ操作による入力が一定期間ない場合には、画面のモードを入力モードから表示モードに切り替えるように制御してもよい。
【０１８６】
表示部７４０２は、イメージセンサとして機能させることもできる。例えば、表示部７４０２に掌や指で触れ、掌紋、指紋等を撮像することで、本人認証を行うことができる。また、表示部に近赤外光を発光するバックライトまたは近赤外光を発光するセンシング用光源を用いれば、指静脈、掌静脈などを撮像することもできる。
【０１８７】
上述した電子機器に適用される表示装置は、共通配線と信号線との間に寄生容量が生じず、高速駆動と低消費電力駆動が実現された表示装置であるため、高速駆動と低消費電力駆動が実現された電子機器とすることができる。
【０１８８】
本実施の形態は、本明細書中に記載する他の実施の形態と適宜組み合わせて実施することができる。
【符号の説明】
【０１８９】
１００      表示装置
１０１      第１の基板
１０３      表示部
１０５      駆動回路部
１０７      信号線
１０９      外部入力端子
１１１      ＦＰＣ
１１３      共通配線
１１５      共通電極
１１７      開口部
１１９      シール材
１２１      第２の基板
１２３      トランジスタ
１２４      トランジスタ
１２５      トランジスタ
１２６      トランジスタ
１２７      トランジスタ
１２９      絶縁層
１３１      発光素子
１３３      画素電極
１３５      ＥＬ層
１３７      絶縁層
１３８      絶縁層
１３９      絶縁層
１４１      カラーフィルタ
１４３      ブラックマトリックス
１４５      オーバーコート
１４７      接続体
１５０      表示装置
１６０      表示装置
１７０      表示装置
１７１      液晶素子
１７３      画素電極
１７５      液晶
１８０      表示装置
１８１      液晶素子
１８３      画素電極
１８５      接続体
７０１      正孔注入層
７０２      正孔輸送層
７０３      発光性の有機化合物を含む層
７０４      電子輸送層
７０５      電子注入層
７０６      電子注入バッファー層
７０７      電子リレー層
７０８      複合材料層
７１１      ＥＬ層
７１２      第１の電極
７１３      第２の電極
８００      第１のＥＬ層
８０１      第２のＥＬ層
８０３      電荷発生層
９０１      液晶素子
９０３      第１の電極
９０５      第２の電極
９０７      液晶
９０９      配向膜
７１００    テレビジョン装置
７１０１    筐体
７１０３    表示部
７１０５    スタンド
７１０７    表示部
７１０９    操作キー
７１１０    リモコン操作機
７２０１    本体
７２０２    筐体
７２０３    表示部
７２０４    キーボード
７２０５    外部接続ポート
７２０６    ポインティングデバイス
７３０１    筐体
７３０２    筐体
７３０３    連結部
７３０４    表示部
７３０５    表示部
７３０６    スピーカ部
７３０７    記録媒体挿入部
７３０８    ＬＥＤランプ
７３０９    操作キー
７３１０    接続端子
７３１１    センサ
７３１２    マイクロフォン
７４００    携帯電話機
７４０１    筐体
７４０２    表示部
７４０３    操作ボタン
７４０４    外部接続ポート
７４０５    スピーカ
７４０６    マイク
【図１】
2013029830.tif 000003
【図２】
2013029830.tif 000004
【図３】
2013029830.tif 000005
【図４】
2013029830.tif 000006
【図５】
2013029830.tif 000007
【図６】
2013029830.tif 000008
【図７】
2013029830.tif 000009
【図８】
2013029830.tif 000010